(57)【要約】【課題】出力電力に応じた力率改善回路の専用設計をする必要がなく、広い出力電力範囲のＬＥＤ負荷を接続可能とした点灯装置を提供する。【解決手段】ＬＥＤ点灯装置１−１は、ＭＯＳＦＥＴ１１と、ＭＯＳＦＥＴ１１に流れるスイッチング素子電流の大きさを検出する電流検出部３７と、ＭＯＳＦＥＴ１１にオンとオフとのスイッチングをさせることによって力率を改善すると共に、電流検出部３７によって検出されるスイッチング素子電流の大きさが所定の閾値を超えたときにＭＯＳＦＥＴ１１を前記オフにする制御回路１２とを有する力率改善回路２と、力率改善回路２が入力する入力電圧の大きさを検出する電源電圧検出５０と、電源電圧検出回路５０が検出する入力電圧の大きさに応じて、電流検出部３７が検出するスイッチング素子電流の大きさを調整する電流値調整部６０とを備えた。【選択図】図１
2014010925.tif 000002
【特許請求の範囲】
【請求項１】
入力電圧と入力電流とを入力し、前記入力電圧と前記入力電流とから得られる力率を改善する力率改善回路であって、スイッチング素子と、前記スイッチング素子に流れる電流であるスイッチング素子電流の大きさを検出する電流検出部と、前記スイッチング素子にオンとオフとのスイッチングをさせることによって前記力率を改善すると共に、前記電流検出部によって検出される前記スイッチング素子電流の大きさが所定の閾値を超えたときに前記スイッチング素子を前記オフにするスイッチング素子制御部とを有する力率改善回路と、
前記力率改善回路が入力する前記入力電圧の大きさを検出する入力電圧検出部と、
前記入力電圧検出部が検出する前記入力電圧の大きさに応じて、前記電流検出部が検出する前記スイッチング素子電流の大きさを調整する電流値調整部と
を備えたことを特徴とする電源装置。
【請求項２】
前記電源装置は、さらに、
前記力率改善回路の出力側に接続される点灯回路あって、光源が接続されると共に、接続された前記光源に電力を供給して点灯させる点灯回路と、
前記点灯回路が前記光源に出力する出力電圧を検出する出力電圧検出部と
を備え、
前記電流値調整部は、
前記光源へ所定の電流値を前記点灯回路に出力させる制御を実行すると共に、前記所定の電流値と、前記出力電圧検出部が検出する前記点灯回路の前記出力電圧の大きさとから電力値を算出し、算出した前記電力値に応じて、前記電流検出部が検出する前記スイッチング素子電流の大きさを調整することを特徴とする請求項１記載の電源装置。
【請求項３】
前記電源装置は、さらに、
前記光源の光出力を指示する調光信号を送信する調光器から前記調光信号を受信する調光信号受信部を備え、
前記電流値調整部は、
前記所定の電流値として、前記調光信号受信部が受信した前記調光信号の指示する前記光出力に対応する大きさの電流値を前記点灯回路に出力させる制御を実行することを特徴とする請求項２記載の電源装置。
【請求項４】
前記電流値調整部は、
前記スイッチング素子電流の一部が流れ込む第１の抵抗器と、
前記第１の抵抗器に並列に接続されて前記第１の抵抗器に流れ込んだ前記スイッチング素子電流の一部の残りの電流が流れ込む第２の抵抗器と、前記第２の抵抗器に直列に接続される第３の抵抗器とからなる直列接続部と、
前記直列接続部における前記第２の抵抗器への前記第３の抵抗器の接続と、前記第２の抵抗器からの前記第３の抵抗器の切り離しとを、制御を受けることで切り替える接続切替部と、
前記入力電圧検出部が検出する前記入力電圧の大きさに応じて、前記接続切替部に、前記第２の抵抗器への前記第３の抵抗器の接続と、前記第２の抵抗器からの前記第３の抵抗器の切り離しとを切り替えさせる制御部と
を備え、
前記電流検出部は、
前記第２の抵抗器へ前記第３の抵抗器が接続しているときは、前記第２の抵抗器と前記第３の抵抗器との前記直列接続部に発生する電圧であって前記第１の抵抗器に発生する電圧と略同一の電圧を、前記第２の抵抗器と前記第３の抵抗器とで分圧した電圧値を前記スイッチング素子電流として検出し、
前記第２の抵抗器から前記第３の抵抗器が切り離されているときは、前記第２の抵抗器に発生する電圧値であって前記第１の抵抗器に発生する電圧と略同一の電圧値を前記スイッチング素子電流として検出することを特徴とする請求項１〜３のいずれかに記載の電源装置。
【請求項５】
前記電流値調整部は、
前記スイッチング素子電流の一部が流れ込む第１の抵抗器と、
前記第１の抵抗器に並列に接続されて前記第１の抵抗器に流れ込んだ前記スイッチング素子電流の一部の残りの電流が流れ込む第２の抵抗器と、前記第２の抵抗器に直列に接続される第３の抵抗器とからなる直列接続部と、
前記直列接続部における前記第２の抵抗器への前記第３の抵抗器の接続と、前記第２の抵抗器からの前記第３の抵抗器の切り離しとを、制御を受けることで切り替える接続切替部と、
前記所定の電流値と、前記出力電圧検出部が検出する前記点灯回路の前記出力電圧の大きさとから電力値を算出し、算出した前記電力値に応じて、前記接続切替部に、前記第２の抵抗器への前記第３の抵抗器の接続と、前記第２の抵抗器からの前記第３の抵抗器の切り離しとを切り替えさせる制御部と
を備え、
前記電流検出部は、
前記第２の抵抗器へ前記第３の抵抗器が接続しているときは、前記第２の抵抗器と前記第３の抵抗器との前記直列接続部に発生する電圧であって前記第１の抵抗器に発生する電圧と略同一の電圧を、前記第２の抵抗器と前記第３の抵抗器とで分圧した電圧値を前記スイッチング素子電流として検出し、前記第２の抵抗器から前記第３の抵抗器が切り離されているときは、前記第２の抵抗器に発生する電圧値であって前記第１の抵抗器に発生する電圧と略同一の電圧値を前記スイッチング素子電流として検出することを特徴とする請求項２記載の電源装置。
【請求項６】
入力電圧と入力電流とを入力し、前記入力電圧と前記入力電流とから得られる力率を改善する力率改善回路であって、スイッチング素子と、前記スイッチング素子に流れる電流であるスイッチング素子電流の大きさを検出する電流検出部と、前記スイッチング素子にオンとオフとのスイッチングをさせることによって前記力率を改善すると共に、前記電流検出部によって検出される前記スイッチング素子電流の大きさが所定の閾値を超えたときに前記スイッチング素子を前記オフにするスイッチング素子制御部とを有する力率改善回路と、
前記力率改善回路の出力側に接続される点灯回路であって、光源が接続されると共に、接続された前記光源に電力を供給して点灯させる点灯回路と、
前記点灯回路が前記光源に出力する出力電圧を検出する出力電圧検出部と、
前記光源へ所定の電流値を前記点灯回路に出力させる制御を実行すると共に、前記所定の電流値と、前記出力電圧検出部が検出する前記点灯回路の前記出力電圧の大きさとから電力値を算出し、算出した前記電力値に応じて、前記電流検出部が検出する前記スイッチング素子電流の大きさを調整する電流値調整部と
を備えたことを特徴とする電源装置。
【請求項７】
前記光源は、
ＬＥＤと有機ＥＬとの少なくともいずれかであることを特徴とする請求項２または３または６のいずれかに記載の電源装置。
【請求項８】
請求項１〜７のいずれかに記載の電源装置を備えた照明装置。
【発明の詳細な説明】
【技術分野】
【０００１】
この発明は、力率改善回路を有する電源装置及びこの電源装置を備えた照明装置に関する。
【背景技術】
【０００２】
点灯回路の前段に力率改善回路を配置することで、力率改善や入力電流ひずみを抑える方法がある（例えば、特許文献１参照。）。
【先行技術文献】
【特許文献】
【０００３】
【特許文献１】特開２０１０−２０５７７８号（段落「００２０」〜「００２３」、図３参照。）
【発明の概要】
【発明が解決しようとする課題】
【０００４】
しかしながら、特許文献１では降圧チョッパ回路の前段に昇圧チョッパ回路が接続されている為、ＬＥＤ負荷で消費する出力電力範囲を広くすると、昇圧チョッパ（力率改善）回路が力率改善できる範囲外となってしまうという課題があった。この為、ＬＥＤ負荷で消費する出力電力に応じた力率改善回路の設計をする必要があった。
【０００５】
本発明では、出力電力に応じた力率改善回路の専用設計をする必要がなく、広い出力電力範囲のＬＥＤ負荷を接続可能とした点灯装置の提供を目的とする。
【課題を解決するための手段】
【０００６】
この発明の電源装置は、
入力電圧と入力電流とを入力し、前記入力電圧と前記入力電流とから得られる力率を改善する力率改善回路であって、スイッチング素子と、前記スイッチング素子に流れる電流であるスイッチング素子電流の大きさを検出する電流検出部と、前記スイッチング素子にオンとオフとのスイッチングをさせることによって前記力率を改善すると共に、前記電流検出部によって検出される前記スイッチング素子電流の大きさが所定の閾値を超えたときに前記スイッチング素子を前記オフにするスイッチング素子制御部とを有する力率改善回路と、
前記力率改善回路が入力する前記入力電圧の大きさを検出する入力電圧検出部と、
前記入力電圧検出部が検出する前記入力電圧の大きさに応じて、前記電流検出部が検出する前記スイッチング素子電流の大きさを調整する電流値調整部と
を備えたことを特徴とする。
【発明の効果】
【０００７】
本発明によれば、１種類の点灯装置で、幅広い入力電圧に対する力率改善が可能となり、広い出力電力範囲のＬＥＤ等の負荷を接続することが可能となる。
【図面の簡単な説明】
【０００８】
【図１】実施の形態１のＬＥＤ点灯装置１−１を示す回路図。
【図２】実施の形態２のＬＥＤ点灯装置１−２を示す回路図。
【発明を実施するための形態】
【０００９】
実施の形態１．
図１は、本実施の形態１を示すＬＥＤ点灯装置１−１（電源装置）の回路図である。
【００１０】
ＬＥＤ点灯装置１−１は、入力電圧と入力電流と入力し、入力電圧と入力電流とから得られる力率を改善する力率改善回路２と、ＬＥＤモジュール２７に流れる電流を一定に制御して、ＬＥＤを点灯させる点灯回路３と、調光器２８からの調光信号を読み取る為の調光信号インターフェース回路４（以下、調光信号Ｉ／Ｆ回路）と、マイクロコンピュータなどの制御装置５で構成されている。更に、ＬＥＤ点灯装置１−１は、制御装置５からの信号（出力電流の目標値）を受け、出力指令値を生成して、フィードバック部２０へ入力する為の出力指令値生成部６を備える。
【００１１】
（点灯回路３）
本実施の形態１の点灯回路３は、スイッチング素子（ＭＯＳＦＥＴ１８）が高電位側に配置されたバックコンバータ回路（降圧回路）であるが、スイッチング素子を低電位側に配置した降圧回路でも良いし、フライバック方式の定電流回路でも良い。
【００１２】
（力率改善回路２）
力率改善回路２は、ＡＣ電源７を全波整流するダイオードブリッジ８と、それを平滑するコンデンサ９とを備え、全波整流されたコンデンサ９の電圧を昇圧する為に、インダクタ１０とＭＯＳＦＥＴ１１（スイッチング素子）等を備える。ＭＯＳＦＥＴ１１は制御回路１２（スイッチング素子制御部）によって制御されて、ＯＮ／ＯＦＦのスイッチング動作をする。ＭＯＳＦＥＴ１１がＯＮのときは、インダクタ１０に電流が流れてエネルギーが蓄えられる。ＭＯＳＦＥＴ１１がＯＦＦするとインダクタ１０に蓄えられたエネルギーがダイオード１４から電解コンデンサ１７の経路で放出され、電解コンデンサ１７の電圧はコンデンサ９よりも高い電圧に昇圧される。電解コンデンサ１７に発生した電圧は抵抗１５と抵抗１６によって分圧され、フィードバック部１３を介して、制御回路１２へ入力される。この電圧を基に制御回路１２は電解コンデンサ１７の電圧を約４００Ｖ一定となるようにＭＯＳＦＥＴ１１のＯＮ／ＯＦＦを制御している。
【００１３】
（電流値調整部６０）
図１において、力率改善回路２に含まれる、抵抗３４、抵抗３５、トランジスタ３６（スイッチング素子）及び制御装置５は電流値調整部６０を構成する。電流値調整部６０は、抵抗３１，３２から構成される電源電圧検出回路３０が検出する入力電圧の大きさに応じて、電流検出部３７が検出するべきＭＯＳＦＥＴ１１に流れる電流（スイッチング素子電流）の大きさを調整する。なお、図１では電流値調整部６０を、力率改善回路２に含まれる、力率改善回路２の一部の回路としているが、力率改善回路２と独立な回路とみることもできる。電源電圧検出回路３０も同様である。
【００１４】
（点灯回路３）
点灯回路３は、ＭＯＳＦＥＴ１８と、それに直列接続されるダイオード２１とを備える。これらは、力率改善回路２の出力側に、力率改善回路２の出力側の電解コンデンサ１７と並列に接続される。また、ダイオード２１に並列になるように、インダクタ２２とコンデンサ２３とが直列接続され、コンデンサ２３と並列にＬＥＤモジュール２７（光源）が接続されている。点灯回路３から電力を供給されるＬＥＤモジュール２７は、ＬＥＤ２６が基板に実装されている。また、図１ではＬＥＤ２６は直列接続されているが、直列と並列が混在していても良いし、並列接続でも良い。更に、光源にＬＥＤを使用しているが、有機ＥＬでも良い。
【００１５】
ＭＯＳＦＥＴ１８は制御回路１９によってＯＮ／ＯＦＦ制御されており、ＭＯＳＦＥＴ１８がＯＮすると、インダクタ２２、コンデンサ２３、電流検出抵抗２４の経路で電流が流れてコンデンサ２３を充電する。更に、インダクタ２２にエネルギーが蓄えられる。ＭＯＳＦＥＴ１８がＯＦＦしたとき、インダクタ２２は蓄えられたエネルギーを放出し、コンデンサ２３、電流検出抵抗２４、ダイオード２１の順に電流が流れ、更にコンデンサ２３を充電する。充電された電解コンデンサ２３の電圧がＬＥＤ群の順方向電圧を超えると、ＬＥＤ２６に電流が流れる。電流検出抵抗２４に電流が流れたときに電圧が発生し、この電圧はフィードバック部２０へ入力される。
【００１６】
マイクロコンピュータなどで実現される制御装置５は、ＬＥＤ２６へ流す電流の目標値を、出力指令値生成部６へ入力する。この信号はＰＷＭ信号でも良いし、直流電圧などでも良い。出力指令値生成部６は、制御装置５から入力された信号からＬＥＤ２６へ流す電流の目標値をフィードバック部２０へ入力する。フィードバック部２０は、出力指令値生成部６から入力されたＬＥＤ２６へ流す電流の目標値と、実際に流れている電流値を電圧に変換した値（電流検出抵抗２４に発生する電圧）を比較して、目標値より実際の電流が少ない場合は、電流を増やすように制御回路１９へ伝達する。逆に、目標値よりも実際の電流が多い場合は、電流を減らすように制御する。制御回路１９は、フィードバック部２０から入力された情報を基に、ＭＯＳＦＥＴ１８のＯＮ／ＯＦＦ制御（ＭＯＳＦＥＴ１８のＯＮ−Ｄｕｔｙを小さくしたり、大きくしたりする制御）し、ＬＥＤ２６に流れる電流を一定となるように制御している。
【００１７】
次に本実施の形態１における動作について、図１を用いて説明する。ここで、ＬＥＤ点灯装置１−１における力率改善回路２の動作について説明する。ＬＥＤ点灯装置１−１にＡＣ電源７の電圧が入力されると、ダイオードブリッジ８にて全波整流された電圧がコンデンサ９に発生する。これを抵抗３１、及び、抵抗３２にて分圧し、抵抗３２に発生した電圧を制御装置５で読み取る。抵抗３１、抵抗３２の直列接続は、ＡＣ電源７を判定する電源電圧検出回路３０（入力電圧検出部）を構成する。例えば、ＡＣ電源７の電圧がＡＣ２００Ｖのとき、ＤＣ２Ｖの電圧が発生し、ＡＣ１００Ｖの電圧を入力されると、ＤＣ１Ｖの電圧が発生し、制御装置５がＡ／Ｄ変換などを行い電圧値を読み取り、入力されているＡＣ電源７の電圧を判定する。力率改善回路２は、入力電圧が高いほど、入力電流が少なくなり、力率は低くなる。
【００１８】
ここで、ＭＯＳＦＥＴ１１がＯＮのとき、インダクタ１０→ＭＯＳＦＥＴ１１→電流検出抵抗３３（第１の抵抗器）の順に電流（スイッチング素子電流）が流れる。このとき電流検出部３７は、電流検出抵抗３３に発生する電圧（ＭＯＳＦＥＴ１１に流れる電流値に相当する電圧値。以下、検出電圧ともいう）を、抵抗３４（第２の抵抗器）を介して検出し、検出結果を制御回路１２に出力する。
（１）ここで電流検出部３７の検出した検出電圧（スイッチング素子電流に相当する相当値）が制御回路１２が内部に保有している閾値を超えると、制御回路１２は、ＭＯＳＦＥＴ１１をＯＦＦにする。
（２）ＭＯＳＦＥＴ１１がＯＦＦすると、インダクタ１０に蓄えられたエネルギーが放出され、電解コンデンサ１７を充電する。インダクタ１０に流れる電流が０になると、制御回路１２はＭＯＳＦＥＴ１１をＯＮする。インダクタ１０に流れる電流が０になる検出は、例えば次の様である。図示していないが、インダクタ１０が二次巻線を有しており、制御回路１２は、この二次巻線発生する信号変化によってインダクタ１０に流れる電流が０になることを検出できる。力率改善回路２のＭＯＳＦＥＴ１１は、このようにして、ＯＮ／ＯＦＦを繰り返している。
【００１９】
ＡＣ電源７の電圧がＡＣ１００Ｖのときより、ＡＣ２００Ｖのときのほうが、入力電流は小さくなる。このため、ＭＯＳＦＥＴ１１がＯＮしたときに、電流検出抵抗３３に流れる電流はＡＣ２００ＶのほうがＡＣ１００Ｖに比べて少なくなる為、ＡＣ２００Ｖのほうが電流検出部３７の検出電圧が小さくなる。このような場合、つまり、制御回路１２の閾値に比べて電流検出部３７の検出電圧が小さくなる場合には力率改善が期待できない場合がある。この場合に、これを改善するには、電流検出抵抗３３を大きくする必要（検出電圧を高める必要）がある。従って、ＡＣ電源電圧が高いときには、電流検出抵抗３３を大きくして電流検出部３７による検出電圧を大きくし、これに対してＡＣ電源電圧が低いときには、電流検出抵抗３３を小さくして電流検出部３７による検出電圧を小さくすると良い。これにより、ＡＣ電源７の電圧の影響を受けることなく、力率改善が可能となる。
【００２０】
本実施の形態１では、電流検出抵抗３３に発生する電圧を検出する電流検出部３７の検出電圧を大きくしたり、小さくしたりして調整することで、上記、電流検出抵抗３３を大きくしたり、小さくしたりするのと同じ効果を得る構成を提供する。その構成を以下に記す。
【００２１】
制御装置５は、電源電圧検出回路３０によって検出される分圧電圧の値から、ＬＥＤ点灯装置１−１に入力されているＡＣ電源電圧を判定する。この判定したＡＣ電源電圧値に基づき、制御装置５は、力率改善効果が高くなるように、トランジスタ３６をＯＮ／ＯＦＦする。つまり制御装置５は、電源電圧検出回路３０で検出したＡＣ電源電圧の大きさに応じて、力率改善回路２の抵抗３４への抵抗３５（第３の抵抗器）の接続と、抵抗３４からの抵抗３５の切り離しとの切り替えを行う為に、スイッチング素子であるトランジスタ３６をＯＮ／ＯＦＦする。トランジスタ３６のＯＮ／ＯＦＦにより、抵抗３５が抵抗３４と接続されたり、接続されなかったりする。これにより、電流検出抵抗３３で発生した電圧が分圧され、電流検出部３７の検出電圧値を切り替える（調整する）ことが可能となる。よって、高力率を維持する範囲を広くすることが可能となる。
【００２２】
例えば、ＡＣ電源電圧がＡＣ２００Ｖ（後述の、ＡＣ１００Ｖよりも高い電圧）のとき、制御装置５は、トランジスタ３６をＯＦＦする。このとき、電流検出部３７で検出する電圧は、ＭＯＳＦＥＴ１１に流れる電流値と電流検出抵抗３３の抵抗値との積となる。これに対して、ＡＣ電源電圧がＡＣ１００Ｖのとき、制御装置５はトランジスタ３６をＯＮするように信号を出力する。トランジスタ３６がＯＮすると、電流検出抵抗３３と並列に抵抗３４と抵抗３５が接続される。抵抗３４と抵抗３５は直列に接続されており、電流検出抵抗３３で発生した電圧を分圧する。この分圧され、実際に電流検出抵抗３３に発生する電圧より小さくなった電圧が電流検出部３７に入力される為、擬似的に電流検出抵抗３３の抵抗値が小さくなった効果があり、ＡＣ電源電圧の高い、低いに係わらず、力率改善が可能となる。
【００２３】
このように、電流値調整部６０は、電流検出抵抗３３に並列に接続されて電流検出抵抗３３に流れ込んだスイッチング素子電流の一部の残りの残余電流が流れ込む抵抗３４と、抵抗３４に直列に接続される抵抗３５とからなる直列接続部を有する。またトランジスタ３６（接続切替部）は、直列接続部における抵抗３４への抵抗３５の接続と、抵抗３４からの抵抗３５の切り離しとを、制御を受けることで切り替える。そして、制御装置５は、電源電圧検出回路３０が検出する電源電圧の大きさに応じて、トランジスタ３６に、抵抗３４への抵抗３５の接続と、抵抗３４からの抵抗３５の切り離しとを切り替えさせる。電流検出部３７は、抵抗３４へ抵抗３５が接続しているときは、抵抗３４と抵抗３５との直列接続部に発生する電圧であって電流検出抵抗３３に発生する電圧と略同一の電圧を、抵抗３４と抵抗３５とで分圧した電圧値をスイッチング素子電流として検出する。また、電流検出部３７は、抵抗３４から抵抗３５が切り離されているときは、抵抗３４に発生する電圧値であって電流検出抵抗３３に発生する電圧と略同一の電圧値をスイッチング素子電流として検出する。この構成により、１種類の点灯装置で、幅広い入力電圧に対する力率改善が可能となり、広い出力電力範囲のＬＥＤ等の負荷を接続することが可能となる。
【００２４】
実施の形態２．
図２は、本実施の形態２を示すＬＥＤ点灯装置１−２（電源装置）の回路図である。
【００２５】
次に本実施の形態２における動作について、図２を用いて説明する。図１と同一の番号を付与しているものについては、図１と等しい動作をする為、説明は省略する。図１と異なる部分についてのみ、説明をする。
【００２６】
ＬＥＤ点灯装置１−１に対するＬＥＤ点灯装置１−２の相違点は、ＬＥＤ点灯装置１−２が、電圧検出抵抗５１と電圧検出抵抗５２で構成される出力電圧検出回路５０を備え、制御装置５が出力電圧検出回路５０が検出した検出電圧の値に応じてトランジスタ３６をオンあるいはオフとする点である。その他の構成は実施の形態１と同様である。
【００２７】
出力電圧検出回路５０（出力電圧検出部）は、電圧検出抵抗５１と電圧検出抵抗５２で構成されている。制御装置５は、電圧検出抵抗５１と電圧検出抵抗５２で分圧された電圧を出力されている電圧を検出する。また、制御装置５は内部に実装されているプログラムに従い、出力電流の目標値（所定の電流値）を出力指令値生成部６に伝達する。出力電流の目標値は、後述の出力電力Ｗの算出用の算出用電流値として使用される。これらの出力電流値と出力電圧値から、制御装置５は、出力電力Ｗを算出する。算出された出力電力Ｗに応じて、制御装置５はトランジスタ３６をＯＮ／ＯＦＦする信号出力する。例えば、出力電力Ｗが小さいときは、力率改善回路２への入力電流が小さくなる。この為、制御装置５は、電流検出部３７で検出する電圧値が大きくなるように、トランジスタ３６をＯＦＦする。逆に出力電力Ｗが大きいときは、制御装置５は、電流検出抵抗３３に発生する電圧が小さくなるように、トランジスタ３６をＯＮする信号を出力する。このとき、電流検出抵抗３３に発生する電圧は、抵抗３４と抵抗３５にて分圧され、分圧された電圧が電流検出部３７に入力される。
【００２８】
このように電流検出抵抗３３に発生した電圧を電流検出部３７で読み取る構成において、電流検出部３７の読み取るべき電圧値をトランジスタ３６のＯＮ／ＯＦＦで変化させることによって、広範囲の出力電力に対応した力率改善が可能となる。
【００２９】
（算出用電流値が調光信号に基づく場合）
図２において、調光器２８からの調光信号を調光信号Ｉ／Ｆ回路４を介して、制御装置５で読み取ることで、光源であるＬＥＤモジュール２７を調光できる。調光信号は、調光度の情報（光源の光出力を指示する情報）が付与された信号である。制御装置５は、調光信号が示す調光度に応じた出力電流（所定の電流値）を出力するように出力指令値生成部６へ出力する。このようにして、ＬＥＤ点灯装置１−２は、調光器２８からの調光信号により、ＬＥＤモジュール２７に流れる電流値を増減させて、明るさを変えることが可能となる。このとき、制御装置５は、調光度に応じた出力電流値を算出用電流値として使用して、電圧検出回路の電圧値から判定した出力電圧値との積を算出する。この算出された出力電力に応じて、トランジスタ３６をＯＮ／ＯＦＦすることで、これまで説明したような電流検出部３７に発生する電圧を変化させる。これにより、調光度によって変化する出力電力に対応することが可能となり、広範囲の出力電力においても、力率改善効果が得られるような動作が可能となる。
【００３０】
以上、本発明の実施の形態１，２について説明したが、これらの実施の形態１，２のうち、２つを組み合わせて実施しても構わない。あるいは、これらの実施の形態のうち、１つを部分的に実施しても構わない。あるいは、これらの実施の形態のうち、２つを部分的に組み合わせて実施しても構わない。例えば、図２において、ＬＥＤ点灯装置１−２は、電源電圧検出回路３０を持たず、出力電圧検出回路５０の検出結果のみに基づいて、制御装置５がトランジスタ３６のオンオフを決める構成でもよい。なお、本発明は、これらの実施の形態に限定されるものではなく、必要に応じて種々の変更が可能である。
【００３１】
以上の実施の形態では、制御装置５が、電源電圧検出回路３０あるいは出力電圧検出回路５０の検出結果に応じてトランジスタ３６をオンオフする構成を示したが、いかなる検出結果の時にトランジスタ３６をオンし、またいかなる検出結果の時にトランジスタ３６をオフとするかは、制御装置５があらかじめ格納しているものとする。
【００３２】
以上の実施の形態では、電源電圧検出回路３０あるいは出力電圧検出回路５０の検出結果に応じて電流検出部３７の検出するべき電流値の調整は、トランジスタ３６のオン、オフに対応する２通りであったが、これは一例である。電源電圧検出回路３０あるいは出力電圧検出回路５０の検出結果に応じて、３通り以上の中からいずれかの調整手段を選択する構成でも構わない。たとえば、電源電圧検出回路３０あるいは出力電圧検出回路５０の検出結果に対応して、３通り以上の分圧値が得られる構成としてもよい。
【００３３】
以上の実施の形態１，２のＬＥＤ点灯装置１−１、１−２は、ＬＥＤ点灯装置１−１あるいはＬＥＤ点灯装置１−２を備えた照明装置として実現することも、もちろん可能である。
【符号の説明】
【００３４】
１−１，１−２  ＬＥＤ点灯装置、２  力率改善回路、３  点灯回路、４  調光信号インターフェース回路、５  制御装置、６  出力指令値生成部、７  ＡＣ電源、８  ダイオードブリッジ、９  コンデンサ、１０  インダクタ、１１  ＭＯＳＦＥＴ、１２  制御回路、１３  フィードバック部、１４  ダイオード、１５  抵抗、１６  抵抗、１７  電解コンデンサ、１８  ＭＯＳＦＥＴ、１９  制御回路、２０  フィードバック部、２１  ダイオード、２２  インダクタ、２３  コンデンサ、２４  電流検出抵抗、２６  ＬＥＤ、２７  ＬＥＤモジュール、２８  調光器、３０  電源電圧検出回路、３１，３２  抵抗、３３  電流検出抵抗、３４，３５  抵抗、３６  トランジスタ、３７  電流検出部、５０  出力電圧検出回路、５１，５２  電圧検出抵抗、６０  電流値調整部。
【図１】
2014010925.tif 000003
【図２】
2014010925.tif 000004